【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
下記の工程を含むビニリデン基末端重合体の製造方法：
ａ）疑似リビングカルボカチオン末端ポリオレフィンポリマーを供給する工程、
ｂ）工程ａ）のポリマーを、下記Ｉ式に従う置換アゾール失活化剤化合物と接触させる工程：
【化１】
2007182574.tif 000001
（式中、Ｒ1およびＲ2は独立に、水素、炭素原子数１〜２０のアルキル、炭素原子数３〜７のシクロアルキル、炭素原子数６〜２０のアリール、炭素原子数７〜３０のアルカリール、炭素原子数７〜３０のアラルキルであるか；またはＲ1およびＲ2は共同して、非置換の、あるいは炭素原子数１〜２０のアルキル、炭素原子数３〜７のシクロアルキル、炭素原子数６〜３０のアリール、炭素原子数７〜３０のアルカリール、炭素原子数７〜３０のアラルキル、炭素原子数１〜６のアルコキシ、炭素原子数１〜６のアルキルチオエーテル、ハロ（ハロゲン）、あるいは式−ＮＲ*Ｒ**（ただし、Ｒ*およびＲ**は独立に、炭素原子数４〜１０のアルキル、炭素原子数４〜７のシクロアルキル、炭素原子数６〜１０のアリール、炭素原子数７〜１０のアルカリール、あるいは炭素原子数７〜１０のアラルキルである）を有するアミノから独立に選ばれる１乃至４個の置換基で置換されている、炭素原子数６〜１０の縮合芳香環を形成していてもよく；
Ｒは、水素、炭素原子数１〜２０のアルキル、炭素原子数３〜７のシクロアルキル、炭素原子数６〜２０のアリール、炭素原子数７〜３０のアルカリール、あるいは炭素原子数７〜３０のアラルキルであるが、Ｒが水素である場合には、Ｒ2は炭素原子数少なくとも３の分枝アルキル、アリール、シクロアルキル、アルカリールまたはアラルキルであり、そしてＲがメチルである場合には、Ｒ1およびＲ2は互いに独立に、炭素原子数１〜２０のアルキル、炭素原子数３〜７のシクロアルキル、炭素原子数６〜２０のアリール、炭素原子数７〜３０のアルカリール、及び炭素原子数７〜３０のアラルキルから選ばれ；そして
Ｘは、酸素または硫黄である）
【請求項２】
疑似リビングカルボカチオン末端ポリマーを、ルイス酸と溶媒との存在下でかつ好適な疑似リビング重合反応条件下で、少なくとも一種のカチオン重合可能なオレフィン単量体を開始剤と接触させることにより、生成させる請求項１に記載の方法。
【請求項３】
開始剤が一官能性である請求項２に記載の方法。
【請求項４】
開始剤が、２−クロロ−２−フェニルプロパン、２−アセチル−２−フェニルプロパン、２−プロピオニル−２−フェニルプロパン、２−メトキシ−２−フェニルプロパン、２−エトキシ−２−フェニルプロパン、２−クロロ−２，４，４−トリメチルペンタン、２−アセチル−２，４，４−トリメチルペンタン、２−プロピオニル−２，４，４−トリメチルペンタン、２−メトキシ−２，４，４−トリメチルペンタン、および２−エトキシ−２，４，４−トリメチルペンタンからなる群より選ばれる請求項３に記載の方法。
【請求項５】
開始剤が２−クロロ−２，４，４−トリメチルペンタンである請求項３に記載の方法。
【請求項６】
開始剤が二官能性である請求項２に記載の方法。
【請求項７】
開始剤が、１，３−ジ（２−クロロ−２−プロピル）ベンゼン、１，３−ジ（２−メトキシ−２−プロピル）ベンゼン、１，４−ジ（２−クロロ−２−プロピル）ベンゼン、１，４−ジ（２−メトキシ−２−プロピル）ベンゼン、および５−ｔｅｒｔ−ブチル−１，３−ジ（２−クロロ−２−プロピル）ベンゼンからなる群より選ばれる請求項６に記載の方法。
【請求項８】
開始剤が５−ｔｅｒｔ−ブチル−１，３−ジ（２−クロロ−２−プロピル）ベンゼンである請求項７に記載の方法。
【請求項９】
開始剤が多官能性である請求項２に記載の方法。
【請求項１０】
開始剤が、１，３，５−トリ（２−クロロ−２−プロピル）ベンゼン、および１，３，５−トリ（２−メトキシ−２−プロピル）ベンゼンからなる群より選ばれる請求項９に記載の方法。
【請求項１１】
少なくとも一種のカチオン重合可能なオレフィン単量体が、イソブテン、２−メチル−１−ブテン、３−メチル−１−ブテン、および４−メチル−１−ペンテンからなる群より選ばれる請求項２に記載の方法。
【請求項１２】
少なくとも一種のカチオン重合可能なオレフィン単量体がイソブチレンである請求項１１に記載の方法。
【請求項１３】
二種類の異なるカチオン重合可能なオレフィン単量体を用いる請求項２に記載の方法。
【請求項１４】
ルイス酸が、四ハロゲン化チタン、三ハロゲン化ホウ素、三塩化アルミニウム、四塩化スズ、塩化亜鉛および二塩化エチルアルミニウムからなる群より選ばれる請求項２に記載の方法。
【請求項１５】
ルイス酸が、四塩化チタン、四臭化チタンおよび三塩化ホウ素からなる群より選ばれる請求項１４に記載の方法。
【請求項１６】
ルイス酸が四塩化チタンである請求項１５に記載の方法。
【請求項１７】
疑似リビング重合反応条件が、温度範囲が−１３０℃から＋１０℃の間にあるように選ばれる請求項２に記載の方法。
【請求項１８】
疑似リビング重合反応条件が、温度範囲が−６０℃から−１０℃の間にあるように選ばれる請求項１７に記載の方法。
【請求項１９】
疑似リビング重合反応条件が、温度範囲が−６０℃から−２０℃の間にあるように選ばれる請求項１８に記載の方法。
【請求項２０】
疑似リビングカルボカチオン末端ポリオレフィンポリマーを、ルイス酸と溶媒との存在下でかつ好適な疑似リビング重合反応条件下でポリオレフィン鎖末端をイオン化することにより、生成させる請求項１に記載の方法。
【請求項２１】
疑似リビングカルボカチオン末端ポリオレフィンポリマーを、ルイス酸と溶媒との存在下でかつ好適な疑似リビング重合反応条件下で、ｔｅｒｔ−ハライド鎖末端を含むポリオレフィンをイオン化することにより生成させる請求項２０に記載の方法。
【請求項２２】
疑似リビングカルボカチオン末端ポリオレフィンポリマーを、ルイス酸と溶媒との存在下でかつ好適な疑似リビング重合反応条件下で、ｔｅｒｔ−クロリド鎖末端を含むポリオレフィンをイオン化することにより生成させる請求項２０に記載の方法。
【請求項２３】
Ｒ1およびＲ2が共同して、炭素原子数１〜１０のアルキル、炭素原子数３〜７のシクロアルキル、炭素原子数６〜１０のアリール、炭素原子数７〜１０のアルカリール、炭素原子数７〜１０のアラルキルから独立に選ばれる１乃至４個の置換基で置換されている、炭素原子数６〜１０の縮合芳香環を形成している請求項１に記載の方法。
【請求項２４】
Ｒが、炭素原子数２〜２０のアルキル、炭素原子数３〜７のシクロアルキル、炭素原子数６〜２０のアリール、炭素原子数７〜３０のアルカリール、あるいは炭素原子数７〜３０のアラルキルである請求項１に記載の方法。
【請求項２５】
Ｒ1またはＲ2のうちの一方が水素である請求項１に記載の方法。
【請求項２６】
Ｒ1が水素である請求項２５に記載の方法。
【請求項２７】
工程ｂ）の失活化剤が下記Ｉ式に従う化合物から選ばれる請求項１に記載の方法。
【化２】
2007182574.tif 000002
（式中、Ｒ1およびＲ2は独立に、炭素原子数１〜２０のアルキル、炭素原子数６〜２０のアリール、炭素原子数７〜３０のアルカリール、あるいは炭素原子数７〜３０のアラルキルであるか；またはＲ1およびＲ2は共同して、炭素原子数６〜１０の縮合芳香環を形成していてもよく；
Ｒは、炭素原子数２〜２０のアルキル、炭素原子数６〜２０のアリール、炭素原子数７〜３０のアルカリール、あるいは炭素原子数７〜３０のアラルキルであり；そして
Ｘは、酸素または硫黄である）
【請求項２８】
Ｒ1およびＲ2がアルキルである請求項２７に記載の方法。
【請求項２９】
Ｘが酸素である請求項２７に記載の方法。
【請求項３０】
Ｘが硫黄である請求項２７に記載の方法。
【請求項３１】
工程ｂ）の失活化剤が下記II式に従う化合物から選ばれる請求項２７に記載の方法。
【化３】
2007182574.tif 000003
（式中、Ｒは、炭素原子数２〜２０のアルキル、炭素原子数６〜２０のアリール、炭素原子数７〜３０のアルカリール、または炭素原子数７〜３０のアラルキルであり；そして
Ｘは、酸素または硫黄である）
【請求項３２】
Ｒがアリール、アルカリールまたはアラルキルである請求項３１に記載の方法。
【請求項３３】
失活化剤が、２−フェニルベンゾオキサゾールまたは２−フェニルベンゾチアゾールのいずれかである請求項３２に記載の方法。